【手続補正書】
【提出日】平成27年3月18日(2015.3.18)
【手続補正１】
【補正対象書類名】特許請求の範囲
【補正対象項目名】全文
【補正方法】変更
【補正の内容】
【特許請求の範囲】
【請求項１】
フェーズロックドループのフィルタされた誤り信号に応じて、前記フェーズロックドループのフィードフォワード利得を調節し、
妨害消去されたフィルタされた誤り信号を作成し、
前記フィードフォワード利得と前記妨害消去されたフィルタされた誤り信号とに応じて、前記フェーズロックドループの従発振器を調節することを含み、
前記フェーズロックドループの誤り信号に応じて、前記フェーズロックドループのフィードフォワード利得を調節することは、
前記誤り信号の時間履歴に比例するフィードフォワード利得の変化の時間レートを制御することを含む通信システムを制御する方法。
【請求項２】
前記妨害消去されたフィルタされた誤り信号を作成することは、
前記フィルタされた誤り信号を積分し、
前記フィルタされた誤り信号に前記積分の結果を加算することを含む請求項１記載の方法。
【請求項３】
前記フィルタされた誤り信号を積分することは、
前記フィルタされた誤り信号を妨害消去モジュールの利得で乗算して、妨害消去モジュールでスケーリングされたフィルタされた誤り信号を生成することを含む請求項２記載の方法。
【請求項４】
前記フィルタされた誤り信号を積分することは、
前記フィルタされた誤り信号を妨害消去モジュールの利得で乗算して、妨害消去モジュールでスケーリングされたフィルタされた誤り信号を生成し、
前記妨害消去モジュールでスケーリングされたフィルタされた誤り信号に、妨害消去モジュールのリークファクタでスケーリングされたフィードバック積分結果を加算し、
前記妨害消去モジュールのリークファクタでスケーリングされたフィードバック積分結果で、前記妨害消去モジュールのスケーリングされたフィルタされた誤り信号を加算した結果を積分することを含む請求項２記載の方法。
【請求項５】
前記妨害消去フィルタされた誤り信号を作成することは、
前記フィルタされた誤り信号を積分し、
前記フィルタされた誤り信号の積分の結果に、前記フィルタされた誤り信号の比例分布スケーリングバージョンを加算し、
前記フィルタされた誤り信号を前記フィルタされた誤り信号の前記比例分布スケーリングバージョンで積分した結果の前記加算の結果を、前記フィルタされた誤り信号に加算することを含む請求項１記載の方法。
【請求項６】
前記フィードフォワード利得と前記妨害消去フィルタされた誤り信号とに応じて、前記フェーズロックドループの従発振器を調節することは、
前記フィードフォワード利得と前記フェーズロックドループの入力との間の積と、前記妨害消去されたフィードフォワード誤り信号との加算に応じて、前記フェーズロックドループの前記従発振器の入力を調節することを含む請求項１記載の方法。
【請求項７】
前記誤り信号の時間履歴に比例するフィードフォワード利得の変化の時間レートを制御することは、
前記フェーズロックドループの主発振器の入力と前記誤り信号との積を作成し、
この積を積分し、
前記積の積分に応じて、前記フィードフォワード利得を調節することを含む請求項１記載の方法。
【請求項８】
前記積を積分することは、
適応モジュールの利得で前記積を乗算して、適応モジュールでスケーリングされた積を生成することを含む請求項７記載の方法。
【請求項９】
前記積を積分することは、
適応モジュールの利得で前記積を乗算して、適応モジュールでスケーリングされた積を生成し、
前記適応モジュールでスケーリングされた積に、リークファクタでスケーリングされたフィードバック積分結果を加算し、
前記リークファクタでスケーリングされたフィードバック積分結果で、前記適応モジュールのスケーリングされた積を加算した結果を積分することを含む請求項７記載の方法。
【請求項１０】
前記積の積分に応じて、前記フィードフォワード利得を調節することは、
前記積の積分結果に、前記積の比例分布スケーリングバージョンを加算することを含む請求項７記載の方法。
【請求項１１】
位相検出器の第１の入力に動作可能に接続された出力を有する主発振器と、
前記位相検出器の第２の入力に動作可能に接続された出力を有する従発振器と、
前記位相検出器の誤り端子に動作可能に接続された第１の入力を有するフォワード利得適応モジュールとを具備し、
前記フォワード利得適応モジュールは、
前記位相検出器の誤り端子と動作可能に接続された、フォワード利得適応モジュールの可変利得増幅器と、
前記フォワード利得適応モジュールの可変利得増幅器の出力と前記従発振器の入力とに動作可能に接続された、フォワード利得適応モジュールの積分器とを具備し、
前記位相検出器の誤り端子は前記従発振器の入力に動作可能に接続されており、
前記フォワード利得適応モジュールの前記第１の入力は、前記位相検出器のフィルタされた誤り端子と動作可能に接続される、通信システム。
【請求項１２】
前記位相検出器のフィルタされた誤り端子に動作可能に接続された第１の入力と、前記従発振器に動作可能に接続された第１の出力とを有する妨害消去モジュールをさらに具備する請求項１１記載の通信システム。
【請求項１３】
前記位相検出器のフィルタされた誤り端子に動作可能に接続された第１の入力と、前記従発振器に動作可能に接続された第１の出力とを有する前記妨害消去モジュールは、
前記妨害消去モジュールの前記第１の出力に動作可能に接続された第１の入力と、前記フィルタされた誤り端子と動作可能に接続された第２の入力とを有する第１の加算接合を具備し、
前記従発振器は前記第１の加算接合の出力に動作可能に接続されている請求項１２記載の通信システム。
【請求項１４】
前記第１の加算接合の出力に動作可能に接続されている前記従発振器は、
前記第１の加算接合の前記出力と動作可能に接続された第１の入力と、前記フォワード利得適応モジュールの出力と動作可能に接続された第２の入力と、前記従発振器と動作可能に接続された出力とを有する第２の加算接合を具備する請求項１３記載の通信システム。
【請求項１５】
前記位相検出器のフィルタされた誤り端子に動作可能に接続された第１の入力と、前記従発振器に動作可能に接続された第１の出力とを有する前記妨害消去モジュールは、
前記位相検出器のフィルタされた誤り端子と動作可能に接続された妨害消去モジュールの可変利得増幅器と、
前記妨害消去モジュールの可変利得増幅器、及び前記従発振器に動作可能に接続された妨害消去モジュールの積分器とを具備する請求項１２記載の通信システム。
【請求項１６】
前記妨害消去モジュールの可変利得増幅器と前記従発振器とに動作可能に接続された前記妨害消去モジュールの積分器は、
前記妨害消去モジュールの可変利得増幅器の出力と動作可能に接続された入力を有する前記妨害消去モジュールの積分器を具備する請求項１５記載の通信システム。
【請求項１７】
前記妨害消去モジュールの可変利得増幅器の出力と動作可能に接続された入力を有する前記妨害消去モジュールの積分器は、
前記妨害消去モジュールの積分器の前記出力と動作可能に接続された入力と、前記妨害消去モジュールの積分器の前記入力と動作可能に接続された出力とを有する妨害消去モジュールのリークファクタ可変利得増幅器を具備する請求項１６記載の通信システム。
【請求項１８】
前記妨害消去モジュールの可変利得増幅器と前記従発振器とに動作可能に接続された前記妨害消去モジュールの積分器は、
前記位相検出器のフィルタされた誤り端子と動作可能に接続された入力と、前記従発振器と動作可能に接続された出力とを有する妨害消去モジュールの比例分布可変利得増幅器を具備する請求項１７記載の通信システム。
【請求項１９】
前記位相検出器の誤り端子と動作可能に接続されたフォワード利得適応モジュールの可変利得増幅器は、
前記位相検出器の誤り端子に動作可能に接続された第１の入力と、前記主発振器の入力に動作可能に接続された第２の入力とを有する先行乗算器を具備し、
前記フォワード利得適応モジュールの可変利得増幅器は、前記先行乗算器の出力と動作可能に接続された入力を有する前記請求項１１記載の通信システム。
【請求項２０】
前記フォワード利得適応モジュールの積分器は、
前記フォワード利得適応モジュールの積分器の出力に動作可能に接続された第１の入力と、前記主発振器の前記入力に動作可能に接続された第２の入力と、前記従発振器の入力に動作可能に接続された出力とを有する後続乗算器を具備する請求項１１記載の通信システム。
【請求項２１】
前記フォワード利得適応モジュールは、
前記フォワード利得適応モジュールの積分器の前記出力と動作可能に接続された入力と、前記フォワード利得適応モジュールの積分器の前記入力と動作可能に接続された出力とを有するリークファクタ可変利得増幅器を具備する請求項１１記載の通信システム。
【請求項２２】
前記後続乗算器は、
先行乗算器の前記出力と動作可能に接続された入力と、前記後続乗算器の前記第２の入力と動作可能に接続された出力とを有する比例分布可変利得増幅器を具備する請求項２０記載の通信システム。
【請求項２３】
前記位相検出器の第２の入力に動作可能に接続された出力を有する前記従発振器は、前記従発振器の前記出力と前記位相検出器の前記第２の入力との間に動作可能に接続されたΣΔ−変調器をさらに具備する請求項１１記載の通信システム。
【請求項２４】
前記ΣΔ−変調器は、電圧制御発振器と加算接合の少なくとも１つを具備する請求項２３記載の通信システム。